(57)【要約】【課題】相手方コネクタとの嵌合操作や嵌合状態の直接的な視認ができなくても当該嵌合を簡単な操作で確実に維持することが可能なコネクタ１６を提供する。【解決手段】コネクタ１６は、コネクタ端子４７を保持するコネクタハウジング５０を備える。コネクタハウジング５０は、コネクタ端子４７を保持して相手方コネクタを受け入れる相手方コネクタ受入部５２と、嵌合保証部材挿入部５４とを有し、かつ、嵌合ロック部材６０を保持する。嵌合ロック部材６０は、相手方コネクタの受入れを許容する許容位置と、コネクタ端子と相手方端子との嵌合を維持するように相手方コネクタを拘束するロック位置とを有し、嵌合保証部材挿入部５４への嵌合保証部材の挿入に伴って許容位置からロック位置まで移動するように当該嵌合保証部材と係合する。【選択図】  図９
2010176871.tif 000002
【特許請求の範囲】
【請求項１】
相手方コネクタに含まれる相手方端子と嵌合することにより当該相手方端子と電気的に導通するコネクタ端子を含むコネクタであって、
前記コネクタ端子を保持するとともに前記相手方コネクタをその相手方端子が前記コネクタ端子と嵌合可能となるように受け入れる相手方コネクタ受入部と、この相手方コネクタ受入部と別の位置に設けられた嵌合保証部材挿入部とを有するコネクタハウジングと、
前記コネクタハウジングの嵌合保証部材挿入部に挿入可能な嵌合保証部材と、
前記相手方コネクタ受入部への前記相手方コネクタの受入れを許容する許容位置と、前記コネクタ端子と前記相手方端子との嵌合を維持するように前記相手方コネクタを拘束するロック位置との間で移動可能となるように前記コネクタハウジングに設けられ、前記嵌合保証部材挿入部に前記嵌合保証部材が挿入されるのに伴って前記許容位置から前記ロック位置まで移動するように当該嵌合保証部材と係合する嵌合ロック部材とを備えたことを特徴とする嵌合保証機能付コネクタ。
【請求項２】
請求項１記載の嵌合保証機能付コネクタにおいて、
前記相手方端子と前記コネクタ端子との嵌合方向と、前記嵌合保証部材挿入部への前記嵌合保証部材の挿入方向とが互いに平行であり、
前記嵌合ロック部材は、前記両方向と平行な方向の軸回りに回転可能となるように前記コネクタハウジングに設けられ、その回転により前記許容位置と前記ロック位置とに切換えられる回転体を含み、この回転体は、前記嵌合保証部材の挿入に伴って当該回転体を前記許容位置から前記嵌合ロック位置へ回転させるように当該嵌合保証部材と係合するカム部と、前記許容位置から前記嵌合ロック位置への回転に伴って前記相手方コネクタの相手方端子と前記コネクタ端子との嵌合を維持する向きに当該相手方コネクタを拘束するように当該相手方コネクタと係合するロック部とを含むことを特徴とする嵌合保証機能付コネクタ。
【請求項３】
請求項１記載の嵌合保証機能付コネクタにおいて、
前記コネクタハウジングにおける相手方コネクタ受入部及び嵌合保証部材挿入部が特定方向に並び、
前記嵌合ロック部材は、前記相手方コネクタ受入部及び前記嵌合保証部材挿入部に対してこれらの並び方向と直交する方向に隣接しかつ当該並び方向と平行な方向にスライド可能となるように前記コネクタハウジングに設けられ、そのスライドにより前記許容位置と前記ロック位置とに切換えられるスライド体を含み、このスライド体は、前記嵌合保証部材の挿入に伴って当該スライド体を前記許容位置から前記嵌合ロック位置へスライドさせるように当該嵌合保証部材と係合するカム部と、前記許容位置から前記嵌合ロック位置へのスライド体に伴って前記相手方コネクタの相手方端子と前記コネクタ端子との嵌合を維持する向きに当該相手方コネクタを拘束するように当該相手方コネクタと係合するロック部とを含むことを特徴とする嵌合保証機能付コネクタ。
【請求項４】
請求項１〜３のいずれかに記載の嵌合保証機能付コネクタにおいて、
前記嵌合保証部材は、前記相手方コネクタとは別の嵌合保証コネクタであって、
前記コネクタハウジングは、前記コネクタ端子に加え、前記嵌合保証部材挿入部への前記嵌合保証コネクタの挿入に伴ってこの嵌合保証コネクタに含まれる端子と嵌合することが可能となる位置に嵌合保証側端子を保持することを特徴とする嵌合保証機能付コネクタ。
【請求項５】
電源の投入を受けて外部と通信を行う電子回路体を含む電子ユニットであって、
前記電子回路体を格納し、かつ、専用のユニットケースに挿入可能な外形を有するユニットハウジングと、
前記ユニットハウジングに設けられ、このユニットハウジング内に格納される電子回路体を外部回路に接続するためのユニットコネクタとを備え、
前記ユニットコネクタが請求項４記載の嵌合保証機能付コネクタにより構成され、
このユニットコネクタに含まれるコネクタ端子は、当該嵌合保証機能付コネクタの嵌合ロック部材が許容位置にある状態で前記ユニットケース内に前記ユニットハウジングが挿入されるのに伴い、前記ユニットケースに保持された待ち受けコネクタに含まれる待ち受け端子に対して前記ユニットハウジングの挿入方向と平行な方向に嵌合される端子であり、
前記ユニットコネクタに含まれる嵌合保証側端子は、前記ユニットケースを経由せずに前記嵌合保証コネクタの端子と直接嵌合される端子であり、
前記嵌合ロック部材は、前記コネクタハウジングの嵌合保証部材挿入部に前記嵌合保証コネクタが挿入されるのに伴って前記許容位置から前記ロック位置へ移動して前記コネクタ端子と前記待ち受け端子との嵌合を維持する向きに前記相手方コネクタを拘束することを特徴とする電子ユニット。
【請求項６】
請求項５記載の電子ユニットと、
前記電子ユニットのユニットハウジングが挿入可能な形状を有するユニットケースと、
前記ユニットケースに設けられ、このユニットケースへの前記電子ユニットの挿入に伴って当該電子ユニットのユニットコネクタに含まれるコネクタ端子に対し前記挿入の方向と平行な方向に嵌合可能な待ち受け端子を含む待ち受けコネクタとを備えた電子ユニット接続装置であって、
前記ユニットケースは、このユニットケース内に挿入された前記電子ユニットにおける前記ユニットコネクタの嵌合保証部材挿入部を当該ユニットケースの外部に開放して当該ユニットケースの外部から前記嵌合保証部材挿入部への嵌合保証コネクタの嵌合を許容する形状を有し、
前記ユニットコネクタに含まれる嵌合ロック部材は、前記ユニットケース内に前記電子ユニットのユニットハウジングが挿入された状態で前記嵌合保証部材挿入部に前記嵌合保証コネクタが嵌合されるのに伴い、前記相手方コネクタ受入部に受入られた待ち受けコネクタの待ち受け端子と前記コネクタ端子との嵌合を許容する位置から当該嵌合を維持するように前記相手方コネクタを拘束するロック位置へ移動することを特徴とする電子ユニット接続装置。
【請求項７】
請求項６記載の電子ユニット接続装置において、
前記ユニットケースは、複数の電子ユニットがそれぞれ挿入可能な形状を有する一方、前記各電子ユニットに接続するための回路を含む回路体を内蔵し、この回路体に接続された複数の待ち受けコネクタをそれぞれ対応する電子ユニットのユニットコネクタのコネクタ端子に嵌合可能となる位置に保持するものであることを特徴とする電子ユニット接続装置。
【請求項８】
請求項７記載の電子ユニット接続装置において、
前記回路体は、外部から供給される電源を各電子ユニットに分配するための配電回路を含み、
前記嵌合保証コネクタは、前記電子ユニットの電子回路体と外部回路との間で通信を行わせるための端子を含む通信用コネクタであり、
前記ユニットコネクタのコネクタ端子には、前記待ち受けコネクタの待ち受け端子との嵌合により前記電子回路体を前記配電回路体に接続する電源用端子が含まれ、前記ユニットコネクタの嵌合保証側端子には、前記通信用コネクタの端子と嵌合することにより前記電子回路体と外部回路とを接続する通信用端子が含まれることを特徴とする電子ユニット接続装置。
【発明の詳細な説明】
【技術分野】
【０００１】
本発明は、車載用電子ユニット等に用いられるコネクタ、及びこれを備えた電子ユニット並びにその接続装置に関するものである。
【背景技術】
【０００２】
車両等に搭載される電気回路同士の接続にはコネクタが多用される。例えば、特許文献１には、コネクタを用いて電子ユニットを車載側回路に接続するための接続装置が開示されている。この装置は、前記電子ユニットに設けられるユニットコネクタと、当該電子ユニットが挿入可能なユニットケースと、このユニットケースに設けられる設置側コネクタ（いわゆる待ち受けコネクタ）とを備える。この設置側コネクタは、前記ユニットケース内への前記電子ユニットの挿入に伴って前記ユニットコネクタと当該挿入方向に沿って結合され、これにより、当該電子ユニットと前記ユニットケースへ配索されたワイヤハーネスとの電気的接続を行う。
【先行技術文献】
【特許文献】
【０００３】
【特許文献１】特開２００８−１４０７４９号公報
【発明の概要】
【発明が解決しようとする課題】
【０００４】
前記のようなコネクタ同士の結合及び電気的導通は、各コネクタに含まれる端子同士の嵌合によって達成されるが、当該接続状態を確実に維持するためには、当該端子同士の嵌合が例えば車の振動により徐々に解除されないようにロックをする必要がある。このロックは、例えば各コネクタのコネクタハウジングに形成された係合部同士を係合することにより行われる。
【０００５】
しかし、例えば前記のようなユニットケースに設置された設置側コネクタ、すなわちユニットケースの奥側に配置されてその嵌合作業やロック状態の確認を直接行うことが困難であるコネクタについては、その嵌合を長期にわたって保証することが難しい。このような嵌合保証を可能にすることが、接続信頼性向上のために重要な課題となる。
【０００６】
本発明は、このような事情に鑑み、相手方コネクタとの嵌合操作や嵌合状態の直接的な視認ができなくても当該嵌合を簡単な操作で確実に維持することが可能なコネクタ及びこれを備えた電子ユニット並びにその接続装置を提供することを目的とする。
【課題を解決するための手段】
【０００７】
前記課題を解決するための手段として、本発明は、相手方コネクタに含まれる相手方端子と嵌合することにより当該相手方端子と電気的に導通するコネクタ端子を含むコネクタであって、前記コネクタ端子を保持するとともに前記相手方コネクタをその相手方端子が前記コネクタ端子と嵌合可能となるように受け入れる相手方コネクタ受入部と、この相手方コネクタ受入部と別の位置に設けられた嵌合保証部材挿入部とを有するコネクタハウジングと、前記コネクタハウジングの嵌合保証部材挿入部に挿入可能な嵌合保証部材と、前記相手方コネクタ受入部への前記相手方コネクタの受入れを許容する許容位置と、前記コネクタ端子と前記相手方端子との嵌合を維持するように前記相手方コネクタを拘束するロック位置との間で移動可能となるように前記コネクタハウジングに設けられ、前記嵌合保証部材挿入部に前記嵌合保証部材が挿入されるのに伴って前記許容位置から前記ロック位置まで移動するように当該嵌合保証部材と係合する嵌合ロック部材とを備える嵌合保証機能付コネクタである。
【０００８】
この嵌合保証機能付コネクタでは、そのコネクタハウジングに保持されたコネクタ端子が、当該コネクタハウジングの相手方コネクタ受入部に受け入れられる相手方コネクタの相手方端子と嵌合されるとともに、その嵌合状態が嵌合保証部材を用いて保証される。具体的には、前記嵌合ロック部材が許容位置にある状態で前記相手方コネクタ受入部におけるコネクタ端子と前記相手方端子とが嵌合可能であり、かつ、その嵌合状態で前記相手方コネクタ受入部と別の位置にある嵌合保証部材挿入部に嵌合保証部材が挿入されるのに伴い、前記嵌合ロック部材が前記許容位置からロック位置へ移動して前記コネクタ端子と前記相手方端子との嵌合を維持するように前記相手方コネクタを拘束する。従って、前記コネクタ端子と前記相手方端子との嵌合作業やその嵌合状態の視認を直接行うことが困難であるとしても、その嵌合箇所から離れた前記嵌合保証部材挿入部への前記嵌合保証部材の挿入によって端子同士の確実な嵌合を保証することができる。
【０００９】
前記嵌合ロック部材には、リンク機構やカム機構その他の種々の機構を適用することが可能である。例としては、前記相手方端子と前記コネクタ端子との嵌合方向と、前記嵌合保証部材挿入部への前記嵌合保証部材の挿入方向とが互いに平行であるものにおいて、前記嵌合ロック部材は、前記両方向と平行な方向の軸回りに回転可能となるように前記コネクタハウジングに設けられ、その回転により前記許容位置と前記ロック位置とに切換えられる回転体を含み、この回転体は、前記嵌合保証部材の挿入に伴って当該回転体を前記許容位置から前記嵌合ロック位置へ回転させるように当該嵌合保証部材と係合するカム部と、前記許容位置から前記嵌合ロック位置への回転に伴って前記相手方コネクタの相手方端子と前記コネクタ端子との嵌合を維持する向きに当該相手方コネクタを拘束するように当該相手方コネクタと係合するロック部とを含むものが、好適である。
【００１０】
この嵌合保証機能付コネクタでは、前記相手方端子と前記コネクタ端子との嵌合方向、前記嵌合保証部材挿入部への前記嵌合保証部材の挿入方向、さらには前記回転体の回転軸の方向が全て平行であるため、相手方コネクタ受入部と嵌合保証部材挿入部との間に嵌合ロック部材である回転体をコンパクトに配置することが可能である。
【００１１】
あるいは、前記コネクタハウジングにおける相手方コネクタ受入部及び嵌合保証部材挿入部が特定方向に並び、前記嵌合ロック部材は、前記相手方コネクタ受入部及び前記嵌合保証部材挿入部に対してこれらの並び方向と直交する方向に隣接しかつ当該並び方向と平行な方向にスライド可能となるように前記コネクタハウジングに設けられ、そのスライドにより前記許容位置と前記ロック位置とに切換えられるスライド体を含み、このスライド体は、前記嵌合保証部材の挿入に伴って当該スライド体を前記許容位置から前記嵌合ロック位置へスライドさせるように当該嵌合保証部材と係合するカム部と、前記許容位置から前記嵌合ロック位置へのスライド体に伴って前記相手方コネクタの相手方端子と前記コネクタ端子との嵌合を維持する向きに当該相手方コネクタを拘束するように当該相手方コネクタと係合するロック部とを含むものも、好適である。
【００１２】
この嵌合保証機能付コネクタにおいても、前記相手方コネクタ受入部及び前記嵌合保証部材挿入部に対してその並び方向と平行な方向にスライド体が配置され、かつ、その並び方向と平行な方向への当該スライド体のスライドを利用してその位置切換が行われるため、相手方コネクタ受入部と嵌合保証部材挿入部との間に嵌合ロック部材であるスライド体を設けるスペースを確保することなく当該スライド体をコネクタハウジング内にコンパクトに配置することが可能である。
【００１３】
前記嵌合保証部材は前記嵌合保証に専用の部材であってもよいが、前記相手方コネクタとは別のコネクタを嵌合保証コネクタとして前記嵌合保証部材に利用することが可能である。その場合、前記コネクタ端子に加え、前記嵌合保証部材挿入部への前記嵌合保証コネクタの挿入に伴ってこの嵌合保証コネクタに含まれる端子と嵌合することが可能な位置に嵌合保証側端子を保持するものであればよい。
【００１４】
また本発明は、前記の嵌合保証機能付コネクタを有効に利用した電子ユニット及びその接続装置を提供する。具体的に、本発明に係る電子ユニットは、前記電子回路体を格納し、かつ、専用のユニットケースに挿入可能な外形を有するユニットハウジングと、前記ユニットハウジングに設けられ、このユニットハウジング内に格納される電子回路体を外部回路に接続するためのユニットコネクタとを備え、このユニットコネクタが前記嵌合保証機能付コネクタにより構成される。このユニットコネクタに含まれるコネクタ端子は、当該嵌合保証機能付コネクタの嵌合ロック部材が許容位置にある状態で前記ユニットケース内に前記ユニットハウジングが挿入されるのに伴い、前記ユニットケースに保持された待ち受けコネクタに含まれる待ち受け端子に対して前記ユニットハウジングの挿入方向と平行な方向に嵌合される端子であり、前記ユニットコネクタに含まれる嵌合保証側端子は、前記ユニットケースを経由せずに前記嵌合保証コネクタの端子と直接嵌合される端子であり、前記嵌合ロック部材は、前記コネクタハウジングの嵌合保証部材挿入部に前記嵌合保証コネクタが挿入されるのに伴って前記許容位置から前記ロック位置へ移動して前記コネクタ端子と前記待ち受け端子との嵌合を維持する向きに前記相手方コネクタを拘束する。また、本発明に係る電子ユニット接続装置は、前記の電子ユニットと、そのユニットハウジングが挿入可能な形状を有するユニットケースと、前記ユニットケースに設けられ、このユニットケースへの前記電子ユニットの挿入に伴って当該電子ユニットのユニットコネクタに含まれるコネクタ端子に対し前記挿入の方向と平行な方向に嵌合可能な待ち受け端子を含む待ち受けコネクタとを備え、前記ユニットケースは、このユニットケース内に挿入された前記電子ユニットにおける前記ユニットコネクタの嵌合保証部材挿入部を当該ユニットケースの外部に開放して当該ユニットケースの外部から前記嵌合保証部材挿入部への嵌合保証コネクタの嵌合を許容する形状を有し、前記ユニットコネクタに含まれる嵌合ロック部材は、前記ユニットケース内に前記電子ユニットのユニットハウジングが挿入された状態で前記嵌合保証部材挿入部に前記嵌合保証コネクタが挿入されるのに伴い、前記相手方コネクタ受入部に受け入れられた待ち受けコネクタの待ち受け端子と前記コネクタ端子との嵌合を許容する位置から当該嵌合を維持するように前記相手方コネクタを拘束するロック位置へ移動する。
【００１５】
以上の電子ユニット及び電子ユニット接続装置では、そのユニットコネクタすなわち前記嵌合保証機能付コネクタの嵌合ロック部材が許容位置にある状態で前記ユニットハウジングが前記ユニットケース内に挿入されることにより、当該ユニットコネクタのコネクタ端子が相手方コネクタの相手方端子に嵌合可能である。その挿入後、さらに、そのユニットコネクタのコネクタハウジングに設けられた嵌合保証部材挿入部に嵌合保証コネクタが挿入されることにより、当該嵌合保証コネクタに含まれる端子と前記コネクタハウジングに保持される嵌合保証側端子とが嵌合されるとともに、前記コネクタハウジングに設けられる嵌合ロック部材が前記許容位置からロック位置へ移動して前記嵌合保証機能付コネクタのコネクタ端子と前記ユニットケース側の待ち受けコネクタの待ち受け端子との嵌合を維持するように前記待ち受けコネクタを拘束する。従って、前記待ち受けコネクタとは別の位置で嵌合保証コネクタとユニットコネクタとを嵌合するだけで、当該待ち受けコネクタの待ち受け端子と前記コネクタ端子との嵌合を保証することができる。
【００１６】
前記電子ユニット接続装置において、前記ユニットケースは、複数の電子ユニットがそれぞれ挿入可能な形状を有する一方、前記各電子ユニットに接続するための回路を含む回路体を内蔵し、この回路体に接続された複数の待ち受けコネクタをそれぞれ対応する電子ユニットのユニットコネクタのコネクタ端子に嵌合可能となる位置に保持するものが、好適である。
【００１７】
この装置では、複数の待ち受けコネクタの経由により、ユニットケースに内蔵された回路体と各電子ユニットとの接続が可能であり、かつ、その待ち受けコネクタの待ち受け端子とユニットコネクタのコネクタ端子との嵌合を、前記各電子ユニットのユニットコネクタへの嵌合保証コネクタの嵌合を利用して行うことができる。
【００１８】
例えば、前記回路体は、外部から供給される電源を各電子ユニットに分配するための配電回路を含み、前記嵌合保証コネクタは、前記電子ユニットの電子回路体と外部回路との間で通信を行わせるための端子を含む通信用コネクタであり、前記ユニットコネクタのコネクタ端子には、前記待ち受けコネクタの待ち受け端子との嵌合により前記電子回路体を前記配電回路体に接続する電源用端子が含まれ、前記ユニットコネクタの嵌合保証側端子には、前記通信用コネクタの端子と嵌合することにより前記電子回路体と外部回路とを接続する通信用端子が含まれるものでは、前記回路体を利用して前記各電子ユニットに効率よく電源を供給することができるとともに、その回路体と各電子ユニットとの待ち受けコネクタを介しての接続を、通信用コネクタを利用して保証することができる。
【発明の効果】
【００１９】
以上のように、本発明によれば、コネクタハウジングに保持されるコネクタ端子と相手方コネクタの相手方端子との嵌合作業や嵌合状態の確認を直接行うことが困難である場合にも、当該嵌合部位とは別の位置に設けられた嵌合保証部材挿入部に嵌合保証部材を挿入することにより、前記これらの端子同士の嵌合を確実に維持して保証することができ、これにより接続信頼性を向上させることができる効果がある。
【図面の簡単な説明】
【００２０】
【図１】本発明の第１の実施の形態に係る電子ユニット接続装置の全体構成を示す断面斜視図である。
【図２】前記電子ユニット接続装置の使用状態を示す斜視図である。
【図３】前記電子ユニット接続装置のユニットケースとこれに内蔵される回路基板およびそのカバーとを示す分解斜視図である。
【図４】前記電子ユニット接続装置のユニットケース等を示す側面図である。
【図５】図４のＶ−Ｖ線断面図である。
【図６】前記回路基板とこれに接続される待ち受けコネクタを示す斜視図である。
【図７】前記待ち受けコネクタの支持構造を上から見た断面斜視図である。
【図８】前記ユニットコネクタの斜視図である。
【図９】図１０のＩＸ−ＩＸ線断面図である。
【図１０】前記電子ユニット接続装置における電子ユニットに設けられたユニットコネクタを示す側面図である。
【図１１】（ａ）は前記ユニットコネクタのコネクタハウジングに保持されるカム軸をカム溝側から見た斜視図、（ｂ）は同カム軸をロック溝側から見た斜視図である。
【図１２】前記ユニットケースのユニット格納部に電子ユニットが挿入された状態を示す側面図である。
【図１３】図１２のＸＩＩＩ−ＸＩＩＩ線断面図である。
【図１４】前記ユニットケースに挿入された電子ユニットのユニットコネクタへの通信用コネクタの嵌合初期の状態を示す側面図である。
【図１５】図１４のＸＶ−ＸＶ線断面図である。
【図１６】前記ユニットコネクタへの前記通信用コネクタの嵌合が完了した状態を示す断面正面図である。
【図１７】（ａ）は前記コネクタハウジング内において前記カム軸が許容位置にある状態を示す断面正面図、（ｂ）は当該カム軸がロック位置にある状態を示す断面正面図である。
【図１８】（ａ）は本発明の第２の実施の形態に係る嵌合保証機能付コネクタのコネクタ端子、コネクタハウジング及びスライド板を示す正面図、（ｂ）は（ａ）の１８Ｂ−１８Ｂ線断面図、（ｃ）は（ｂ）の１８Ｃ−１８Ｃ線断面図である。
【図１９】図１８に示される嵌合保証機能付コネクタに対する相手方コネクタの斜視図である。
【図２０】図２０に示される嵌合保証機能付コネクタの嵌合保証部材に用いられる嵌合保証コネクタの斜視図である。
【図２１】（ａ）は図１８に示されるコネクタハウジングに前記相手方コネクタ及び前記嵌合保証コネクタが嵌合された状態を示す正面図、（ｂ）は（ａ）の２１Ｂ−２１Ｂ線断面図、（ｃ）は（ｂ）の２１Ｃ−２１Ｃ線断面図である。
【発明を実施するための形態】
【００２１】
本発明の第１の実施の形態を、図１〜図１７を参照しながら説明する。
【００２２】
図１は、この実施の形態に係る電子ユニット接続装置を示すものである。この装置は、複数の電子ユニット１０と、これらの電子ユニット１０が挿入可能なユニットケース１２とを備える。
【００２３】
前記各電子ユニット１０は、図略の電子回路体と、ユニットハウジング１４とを備える。前記電子回路体は、外部からの給電を受けて外部回路と通信を行う。この実施の形態では、当該電子回路体はプリント回路基板等から構成され、車両内に設けられた車載電源から電力の供給を受けることにより、当該車両内の電子機器やその他の回路（以下「外部回路」と称する。）との間で信号のやり取りを行う。ユニットハウジング１４は、この実施の形態では小幅の略直方体状をなし、その内部に前記電子回路体を格納する（図１及び後述の図１３，図１５，図１６では便宜上、前記電子回路体と前記ユニットハウジング１４とに共通のハッチングが付されている。）。
【００２４】
さらに、各電子ユニット１０は、前記電子回路体と前記車載電源及び前記外部回路とを接続するためのユニットコネクタ１６を備える。このユニットコネクタ１６は、前記ユニットハウジング１４の一側面（この実施の形態では図１の右側面である背面）に設けられる。このユニットコネクタ１６は、本発明に係る嵌合保証機能付コネクタにより構成されるもので、その詳細については後述する。
【００２５】
前記ユニットケース１２は、この実施の形態では自動車等の車両内の適当な箇所に設置され、当該箇所で前記各電子ユニット１０を格納するとともに、当該車両内に配索されたワイヤハーネスを通じて前記各電子ユニット１０への給電を行う役割を担う。具体的に、このユニットケース１２は、ユニット格納部１８と、回路基板内蔵部２０とを備え、当該回路基板内蔵部２０内に給電用の回路基板２２を内蔵するとともに、前記各電子ユニット１０に対応して装備された複数の給電用の待ち受けコネクタ２４を保持する。
【００２６】
前記ユニット格納部１８は、図２〜図５にも示されるように、特定の方向（図１及び図５では左方向）に開口し、その開口側から前記各電子ユニット１０が挿入可能な形状を有する。詳しくは、各電子ユニット１０のユニットコネクタ１６がユニットケース１２側を向く立直姿勢で、かつこれらの電子ユニット１０がその幅方向と平行な方向に並ぶ配列で、各電子ユニット１０が前記ユニット格納部１８内に挿入される。このユニット格納部１８は、複数のユニット係止爪２６を含む底壁２５を有し、これらのユニット係止爪２６は、前記各電子ユニット１０のユニットハウジング１４が前記ユニット格納部１８内に完全に挿入された状態でそのユニットハウジング１４の底面に突設された被係止突起２８をそれぞれ係止する。
【００２７】
前記回路基板内蔵部２０は、前記ユニット格納部１８の底壁２５の下方から当該ユニット格納部１８の背壁３０（前記ユニットハウジング挿入方向の奥側の立直壁）の下部の後方にまで至る内蔵空間を形成し、その空間内に前記回路基板２２を格納する。具体的に、この回路基板内蔵部２０は、前記底壁２５をさらにその下方から覆う底壁３１と、前記背壁３０の後ろ側で前記ユニット格納部１８の開口と反対の向きに開口する筒状壁３２とを有し、この筒状壁３２の開口から前記回路基板２２が当該回路基板内蔵部２０内に挿入される。
【００２８】
この回路基板２２には、前記車載電源から供給される電力を、適当な電圧まで降下させた状態で前記各電子ユニット１０に分配する機能をもつ配電回路が組み込まれる。この回路基板２２上には、前記配電回路が給電を受けるための基板用コネクタ３４が実装され、この基板用コネクタ３４には車両側の図略のワイヤハーネスから導出される給電用コネクタ３６（図２）が結合される。一方、当該配電回路は、図３および図６に示すような複数の配電線３８を介して前記各待ち受けコネクタ２４に接続される。
【００２９】
前記各待ち受けコネクタ２４は、前記ユニット格納部１８に挿入される電子ユニット１０のユニットコネクタ１６に対してその挿入方向と平行な方向に嵌合するように前記背壁３０に保持され、その嵌合によって前記配電回路と前記電子ユニット１０の電子回路体とを電気的に接続する。具体的に、この待ち受けコネクタ２４は、複数の待ち受け端子（ここでは図略の雌端子）と、これらを保持するハウジング２４ａと、このハウジング２４ａの軸方向の一方の端部に形成された鍔部２４ｂとを有する。そして、前記ハウジング２４ａが前記背壁３０を貫通し、かつ、その背壁３０の背面（回路基板内蔵部２０内に臨む面）に形成された凹部３７に前記鍔部２４ｂが嵌り込む位置に、セットされる。
【００３０】
前記回路基板内蔵部２０の筒状壁３２には、当該筒状壁３２の開口を塞ぐようにカバー４０が装着される。このカバー４０には、前記基板用コネクタ３４を外部に開放するための窓４２と、複数の係止穴４４とが形成されている。各係止穴４４は、前記筒状壁３２に前記カバー４０が被せられた状態で、当該筒状壁３２の外周面から突出する係止突起３３と係合する位置に設けられる。
【００３１】
さらに、このカバー４０には、前記装着状態において前記各待ち受けコネクタ２４を後ろ側（電子ユニット１０と反対の側）から支持するためのコネクタ支持脚４６が設けられる。このコネクタ支持脚４６は、カバー４０の裏面から待ち受けコネクタ２４に向かって延び、かつ、当該カバー４０の装着状態において前記待ち受けコネクタ２４の鍔部２４ｂを後ろ側から拘束する形状を有する。このコネクタ支持脚４６の先端と前記鍔部２４ｂとの間には、製作誤差に起因するカバー４０の組付不良を回避するために若干のクリアランスが与えられており、このクリアランスの分だけ各待ち受けコネクタ２４が僅かに変位可能となっている。
【００３２】
次に、前記各ユニットコネクタ１６について図８〜図１７を併せて参照しながら説明する。
【００３３】
前記各ユニットコネクタ１６は、本発明に係る嵌合保証機能付コネクタに相当するもので、複数本の電源用端子（コネクタ端子）４７と、複数本の通信用端子（嵌合保証側端子）４８と、これらの端子４７，４８を保持するコネクタハウジング５０と、嵌合ロック部材であるカム軸（回転体）６０と、通信用コネクタ７０とを備える。各通信用コネクタ７０は、図略のワイヤハーネスから導出される信号線７４の端末に設けられ、これらの信号線７４にそれぞれ接続される複数の図略の端子（雌端子）と、これらの端子を保持するハウジングとを含む。
【００３４】
前記各電源用端子４７は、前記待ち受けコネクタ２４の各待ち受け端子と嵌合することにより、電子ユニット１０の電子回路体を前記回路基板２０の配電用回路に接続するものであり、この実施の形態では雄端子により構成される。
【００３５】
前記各通信用端子４８は、前記通信用コネクタ７０に含まれる図略の端子（雌端子）と嵌合することにより、前記電子回路体と外部回路とを（ユニットケース１２を経由せずに）直接接続して両者間の通信を可能にするものであり、前記電源用端子４７と同様に雄端子により構成される。すなわち、前記通信用コネクタ７０の雌端子は、前記信号線７４を介して前記外部回路と接続されており、前記通信用端子４８との嵌合によって当該通信用端子４８と前記外部回路とを電気的接続を接続する。
【００３６】
前記コネクタハウジング５０は、絶縁材料により成形され、この実施の形態では前記ユニットハウジング１４の背面に沿う縦長の形状を有する。このコネクタハウジング５０は、待ち受けコネクタ受入部５２と、通信用コネクタ受入部５４と、前記カム軸６０を保持するカム軸保持部５６とにより構成される。
【００３７】
前記待ち受けコネクタ受入部５２は、本発明に係る相手方コネクタ受入部に相当するもので、前記コネクタハウジング５０の下端部により構成され、後方に開口する中空状をなす。具体的には、前記ユニット格納部１８内に前記電子ユニット１０が挿入される際に前記待ち受けコネクタ２４のハウジング２４ａを受け入れることが可能な形状（すなわち当該ハウジング２４ａと嵌合可能な形状）を有する。この待ち受けコネクタ受入部５２は、前記各電源用端子４７を保持し、これらの保持位置は、前記電子ユニット１０の挿入の際にその挿入方向に沿って前記各電源用端子の端部である電気接触部が前記待ち受け端子と嵌合することが可能な位置に設定されている。
【００３８】
すなわち、この電子ユニット接続装置では、前記ユニット格納部１８に前記各電子ユニット１０が挿入されるのと同時に、その挿入方向に沿って前記電源用端子４７と前記待ち受けコネクタ２４の待ち受け端子とが嵌合されるように、当該電源用端子４７の位置が設定されている。
【００３９】
前記通信用コネクタ受入部５４は、本発明に係る嵌合保証部材挿入部を兼ねるもので、前記コネクタハウジング５０のうち前記待ち受けコネクタ受入部５２よりも上側の部分により構成され、当該受入部５２と同様に後方に開口して前記通信用コネクタ７０を受け入れることが可能な中空状をなす。この通信用コネクタ受入部５４は、前記各通信用端子４８を保持し、これらの保持位置は、当該通信用コネクタ受入部５４に受け入れられた通信用コネクタ７０の図略の端子と嵌合することが可能な位置に設定されている。
【００４０】
この嵌合を可能にするため、前記ユニットケース１２の背壁３０にはこれを貫通する複数の窓３５が設けられている（図１等）。これらの窓３５は、前記各通信用コネクタ受入部５４を当該背壁３０の後方に開放し、当該背壁３０の後方から前記通信用コネクタ受入部５４内への前記通信用コネクタ７０の挿入を許容する。
【００４１】
前記カム軸保持部５６は、前記待ち受けコネクタ受入部５２と、前記通信用コネクタ受入部５４との間に設けられ、前記カム軸６０を回転可能に保持する。このカム軸６０は、前記通信用コネクタ７０と協働して、前記電源用端子４７と前記待ち受け端子との嵌合を保証する嵌合保証機能を発揮する。
【００４２】
この嵌合保証機能とは、前記電源用端子４７と前記待ち受け端子との嵌合後、使用時の車の振動等に起因して両端子間の嵌合が徐々に外れるのを防ぐ機能を意味する。上述のように、前記待ち受けコネクタ２４は前記ユニットケース１２の背壁３０に対してその軸方向に微小変位することが可能であり、同様に前記電子ユニット１０も前記ユニット格納部１８内でその挿入方向に微小変位することが可能であることから、これらの微小変位の重ね合わせにより、前記待ち受けコネクタ２４と前記電子ユニット１０のユニットコネクタ１６とが互いに離れる向きに相対変位して前記端子間の嵌合が十分でなくなるおそれがある。このような嵌合不良を防ぐことが、接続信頼性を高める上で重要となる。
【００４３】
このような嵌合保証は、従来のコネクタでは、コネクタハウジング同士の係合による嵌合ロックにて行われているが、この実施の形態に係る待ち受けコネクタ２４のように、ユニットケース１２に内蔵されるなどしてその嵌合作業や嵌合状態の視認を直接行うことが困難な状況では、当該嵌合保証の確実性が低下するおそれがある。
【００４４】
この実施の形態に係る電子ユニット接続装置は、前記の直接的な嵌合作業や嵌合状態の視認が困難であっても、ユニットケース１２の外部に開放された前記通信用コネクタ受入部５４への通信用コネクタ７０の挿入を利用して前記嵌合保証を実現することを可能にするものである。そてし、前記カム軸６０はその通信用コネクタ７０の挿入に連動して前記待ち受けコネクタ２４をロックする（前記嵌合を維持する向きに当該待ち受けコネクタ２４を拘束する）嵌合ロック部材としての役割を担う。
【００４５】
具体的に、この実施の形態に係るカム軸６０は、次のような特徴を有する。
【００４６】
ａ）前後方向（すなわち前記電源用端子４７と前記待ち受け端子との嵌合方向と平行な方向であって、前記通信用コネクタ受入部５４内への前記通信用コネクタの挿入方向と平行な方向）の軸回りに回転可能となるように前記カム軸保持部５６に保持される。
【００４７】
ｂ）前記回転により、前記電源用端子４７と前記待ち受け端子との嵌合を許容する許容位置と、両端子の嵌合を維持する向きに待ち受けコネクタ２４を拘束するロック位置とに切換えられる。
【００４８】
ｃ）前記許容位置から前記ロック位置への回転は、前記通信用コネクタ受入部５４内への前記通信用コネクタ７０の挿入に連動する。
【００４９】
これらの特徴は以下の具体的構造により実現される。
【００５０】
ａ）カム軸６０の保持について
前記カム軸６０は、円筒状の外周面を有する略円柱状をなし、その中心軸上に、後方（図９及び図１７では右方）に開口する芯出し穴６２が設けられている。一方、前記コネクタハウジング５０のカム軸保持部５６は、当該ハウジング５０の後端面側から前方に突出する芯出し凸部５７と、当該ハウジング５０の前端面側に設けられた複数の係止爪５５とを有する。前記芯出し凸部５７は、前記芯出し穴６２内に挿入されることにより、その中心軸回りに回転可能となるように前記カム軸６０を保持する。前記各係止爪５５は、前記カム軸６０の外周縁部に対して前方から当接することにより、その前方へのカム軸６０の離脱を阻止する。
【００５１】
ｂ）カム軸６０の許容位置及びロック位置について
前記待ち受けコネクタ２４のハウジング２４ａの前端部（図５，図１３，図１５〜図１７では左側端部）の上面から上向きに被ロック突起２４ｃが突出する一方、前記カム軸６０の下面側に、図１１（ｂ）に示すようなロック溝６４が凹設される。このロック溝６４は、当該ロック溝６４内に前記被ロック突起２４ｃがほぼ隙間なく進入することが可能な幅を有し、カム軸６０の後端（図９及び図１７（ａ）（ｂ）では右端、図１１（ｂ）では左端）から当該カム軸６０の軸方向と平行に延びる嵌合許容部６４ａと、この嵌合許容部６４ａの終端から周方向（前記芯出し穴６２側から見て反時計回り方向）に延びるロック部６４ｂとを連続して有する。
【００５２】
前記カム軸６０の回転位置が、前記ロック溝６４の嵌合許容部６４ａが真下を向く位置であるとき、前記待ち受けコネクタ２４は、その被ロック突起２４ｃの前記嵌合許容部６４ａ内への進入を伴いながら前記待ち受けコネクタ受入部５２内に受け入れられることが可能である（図１７（ｂ））。すなわち、この回転位置が、前記待ち受けコネクタ２４の待ち受け端子と前記電源用端子４７との嵌合を許容する許容位置に相当する。また、この嵌合が完了した時点で前記被ロック突起２４ｃが前記嵌合許容部６４ａの終端またはその近傍にまで至るように、当該嵌合許容部６４ａの長さが設定されている。
【００５３】
前記嵌合完了後、前記カム軸６０がその芯出し穴６２側からみて反時計回り方向に回転すると、前記被ロック突起２４ｃが前記ロック部６４ｂ内へ周方向に入り込んで軸方向に実質的に動けなくなる（図１７（ｃ））。従って、この回転後の位置が、前記待ち受けコネクタ受入部５２から離脱する方向への待ち受けコネクタ２４の動きを拘束する（つまり電源用端子４７と待ち受け端子との嵌合を維持する向きに待ち受けコネクタ２４を拘束する）ロック位置に相当する。
【００５４】
なお、前記ロック溝６４における前記嵌合許容部６４ａと前記ロック部６４ｂとの境界部分は、当該ロック部６４ｂに向かうに従って前記嵌合許容部６４ａの幅が増大する形状を有している。この形状は、前記被ロック突起２４ｃが前記嵌合許容部６４ａの終端に完全に至っていない状態でも、その状態からカム軸６０が回転することにより当該被ロック突起２４ｃを前記ロック部６４ｂに導いて両端子の嵌合を完全化することを実現する。
【００５５】
ｃ）カム軸６０と通信用コネクタ７０の挿入との連動について
前記通信用コネクタ７０のハウジングの前端部（図１５〜図１７では左側端部）の下面から下向きに回転操作突起７２が突出する一方、前記カム軸６０の上面側に、図１１（ａ）に示すようなカム溝６６が凹設される。このカム溝６６は、当該カム溝６６内に前記回転操作突起７２がほぼ隙間なく進入することが可能な幅を有し、カム軸６０の後端から前方に向かうに従って当該後端から見て（すなわち前記芯出し穴６２側から見て）反時計回り方向）に進行する螺旋状をなす。
【００５６】
このカム溝６６の後端６６ａは、前記ロック溝６４の嵌合許容部６４ａからカム軸６０の周方向に１８０°離れた位置にある。従って、当該カム軸６０が前記許容位置にあるときに前記カム溝６６の後端６６ａは最上位置にあり、この後端６６ａからカム溝６６内に前記回転操作突起７２が進入可能である。そして、この進入（つまり通信用コネクタ受入部５４内への通信用コネクタ７０の挿入）に伴って前記回転操作突起７２が前記カム溝６６内を摺動することにより、前記カム軸６０が前記反時計回り方向に回転操作される。
【００５７】
なお、前記カム軸保持部５６には、前記ロック溝６４および前記カム溝６６をそれぞれ下方および上方に開放するための溝５６ａ，５６ｂがそれぞれ設けられている。これらの溝５６ａ，５６ｂは、前後方向に延び、同方向に沿う前記被ロック突起２４ｃ及び前記回転操作突起７２の進入、及びこれらの突起２４ｃ，７２と前記各溝６４，６６との係合を可能にする。
【００５８】
前記カム軸６０及び前記カム軸保持部５６には、電子ユニット１０がユニットケース１２に挿入される前の初期状態において前記カム軸６０を前記許容位置に仮係止するための構造が与えられている。具体的には、前記カム軸６０の後端面から後方に左右一対の被仮係止突起６８が突出する一方、前記カム軸保持部５６の後端側壁に、当該カム軸６０が許容位置にある状態で前記被仮係止突起６８が嵌り込む仮係止穴５８が設けられている。
【００５９】
次に、この電子ユニット接続装置の作用および使用要領を説明する。
【００６０】
１）初期状態
図４及び図５は、ユニットケース１２のユニット格納部１８内に電子ユニット１０が挿入される前の状態を示す。この状態では、背壁３０に保持された待ち受けコネクタ２４のハウジング２４ａが当該背壁３０から前記ユニット格納部１８内の空間に突出している。
【００６１】
その一方、前記各電子ユニット１０のユニットコネクタ１６においては、コネクタハウジング５０のカム軸保持部５６に設けられた仮係止穴５８にカム軸６０の被仮係止突起６８が嵌り込むことにより、当該カム軸６０が許容位置に仮係止されている。すなわち、当該カム軸６０は、そのカム溝６６の後端６６ａ及びロック溝６４の嵌合許容部６４ａの後端がそれぞれ上下に位置する姿勢に保たれている。
【００６２】
２）電子ユニット１０の挿入
前記初期状態から、図１２及び図１３に示されるように前記ユニット格納部１８内に各電子ユニット１０が挿入され、当該電子ユニット１０の被係止突起２８がユニットケース１２のユニット係止爪２６に係止される。このとき、当該電子ユニット１０におけるユニットコネクタ１６のカム軸６０は許容位置に仮係止されているので、当該カム軸６０におけるロック溝６４の嵌合許容部６４ａに待ち受けコネクタ２４の被ロック突起２４ｃが進入可能である。この進入を伴って、前記ユニットコネクタ１６におけるコネクタハウジング５０の待ち受けコネクタ受入部５４内に前記待ち受けコネクタ２４が進入することができ、その待ち受け端子と前記ユニットコネクタ１６の電源用端子４７との嵌合が許容される。この嵌合により、前記電子ユニット１０の電子回路体が回路基板２２の配電回路及びコネクタ３４，３６を介して車載電源に接続可能となる。
【００６３】
この嵌合状態は、その嵌合操作後も両端子同士の嵌合力によって、ある程度維持される。しかし、前記電子ユニット１０及び前記待ち受けコネクタ２４はいずれもユニットケース１２に対して当該嵌合方向と平行な方向に微小変位可能であることから、前記嵌合力のみでは必ずしも良好な嵌合状態を維持することができず、車の振動等による前記各微小変位に起因して前記嵌合状態が徐々に解除されていくおそれがある。
【００６４】
しかし、この嵌合不良は次の通信用コネクタ７０の嵌合（挿入）操作により防がれる。
【００６５】
３）通信用コネクタ７０の嵌合（挿入）
前記電子ユニット１０の挿入の際、そのユニットコネクタ１６におけるコネクタハウジング５０の通信用コネクタ受入部５４は、ユニットケース１２の背壁３０に設けられた窓３５を通じて後方に開放される。この開放された通信用コネクタ受入部５４に、図１４〜図１６に示されるように通信用コネクタ７０が挿入され、この挿入により前記電源側端子４７と待ち受けコネクタ２４における待ち受け端子との嵌合が保証される。
【００６６】
具体的には、前記挿入に伴い、当該通信用コネクタ７０の端子が前記ユニットコネクタ１６の通信用端子（すなわち嵌合保証用端子）５４に嵌合されると同時に、当該通信用コネクタ７０に設けられた回転操作突起７２が許容状態にあるカム溝６６に進入する。このカム溝６６は、その後端（前記回転操作突起７２の入口端）から前方に向かうに従って反時計回り方向に進行する螺旋状をなすので、このカム溝６６内への前記回転操作突起７２の進入は、前記カム軸６０の被仮係止突起６８を仮係止穴５８から離脱させながら当該カム軸６０を前記反時計回り方向とは逆の時計回り方向に回転させる。この回転は、前記ロック溝６４における嵌合許容部６４ａの終端またはその近傍に位置する前記被ロック突起２４ｃを当該ロック溝６４のロック部６４ｂに入り込ませる（図１６及び図１７）。これにより、当該被ロック突起２４ｃを含む待ち受けコネクタ２４は軸方向に実質上動けなくなり、かかる待ち受けコネクタ２４の拘束が、当該コネクタ２４の待ち受け端子と前記電源用端子４７との長期にわたる良好な嵌合を保証する。
【００６７】
すなわち、このユニットコネクタ１６によれば、その電源用端子４７と待ち受けコネクタ２４の待ち受け端子との嵌合状態を、その嵌合位置から離れた通信用コネクタ受入部５４への通信用コネクタ７０の挿入（嵌合）によって確実に維持することができる。従って、当該ユニットコネクタ１６と待ち受けコネクタ２４との嵌合作業やその嵌合状態の視認を直接行うことが困難であるにもかかわらず、その長期にわたる良好な嵌合を簡単な操作で保証することができる。
【００６８】
なお、本発明に係る嵌合保証機能付コネクタの用途は、前記のような電子ユニット１０のユニットコネクタ１６に限られない。例えば、前記電子ユニット接続装置の待ち受けコネクタ２４に適用されてもよい。
【００６９】
また、ユニットケース１２に内蔵される回路体は前記のような配電用の回路基板２２に限らず、例えば、外部回路と各電子ユニット１０との間で通信を行わせるための回路を含むものや、各電子ユニット１０に内蔵される回路同士の間で通信を行わせる回路を含むものであってもよい。その一方、嵌合保証コネクタは通信用コネクタに限られず、各電子ユニットに別の電源（例えば特殊な電圧をもつ電源）を接続するものであってもよい。
【００７０】
さらに、当該嵌合保証機能付コネクタの嵌合保証部材は、前記通信用コネクタ７０をはじめとするコネクタ（嵌合保証コネクタ）に限られず、当該嵌合保証専用で嵌合保証部材挿入部に挿入される部材であってもよい。
【００７１】
また、前記嵌合保証を実現するための嵌合ロック部材の具体的な構成は、前記カム軸６０に限られない。例えば、図１８〜図２１に第２の実施の形態として示される嵌合保証機能付コネクタのように、スライド移動によって許容位置とロック位置とに切換えられる嵌合ロック部材を備えたものであってもよい。
【００７２】
この嵌合保証機能付コネクタは、図１８（ａ）及び（ｃ）に示される複数のコネクタ端子７７及び複数の嵌合保証側端子７８と、同図（ａ）〜（ｃ）に示されるコネクタハウジング８０と、同図（ｂ）及び（ｃ）に示される嵌合ロック部材としてのスライド板９０と、図１９に示される嵌合保証コネクタ１００とを備え、図２０に示される相手方コネクタ９４と嵌合される。
【００７３】
前記コネクタ端子７７は、第１の実施の形態の電源用端子４７に対応するもので、前記相手方コネクタ９４に含まれる複数の相手方端子とそれぞれ嵌合可能なものである。一方、前記嵌合保証側端子７８は、第１の実施の形態の通信用端子４８に対応するもので、前記嵌合保証コネクタ１００に含まれる複数の端子とそれぞれ嵌合可能なものである。
【００７４】
前記コネクタハウジング８０は、第１の実施の形態におけるコネクタハウジング５０の待ち受けコネクタ受入部５２と同様の相手方コネクタ受入部８２と、同実施の形態の通信用コネクタ受入部５４と同様に嵌合保証部材挿入部を兼ねる嵌合保証コネクタ受入部８４とを右側及び左側にそれぞれ有し、さらに、その上側で両受入部８２，８４に跨るスライド板収容部８６を有する。
【００７５】
前記相手方コネクタ受入部８２は、前記相手方コネクタ９４を受入可能な形状を有するとともに、その受け入れた相手方コネクタ９４の相手方端子とそれぞれ嵌合可能となる位置に前記コネクタ端子７７を保持する。同様に、前記嵌合保証コネクタ受入部８４は、前記嵌合保証コネクタ１００を受入可能な形状を有するとともに、その受け入れた嵌合保証コネクタ１００の端子とそれぞれ嵌合可能となる位置に前記嵌合保証側端子７８を保持する。前記各受入部８２，８４のコネクタ受入空間はそれぞれ連通溝８３，８５を含み、これらの連通溝８３，８５は、当該受入方向（コネクタ挿入方向）に沿って延びるとともに、それぞれ前記スライド板収容部８６と連通する。
【００７６】
前記スライド板９０は、図１８（ｂ）及び（ｃ）に示されるように前記連通溝８５よりも前記嵌合保証コネクタ受入部８４側に寄った許容位置と、図２１（ｂ）及び（ｃ）に示されるように前記連通溝８５を跨ぐロック位置との間でスライド可能となるように、前記スライド板収容部８６内に収容されている。このスライド板９０の下面には、その前端（図１８（ｂ）及び図２１（ｂ）では下端）から嵌合保証コネクタ受入部８４側へ斜め後方に延びるカム溝９２が凹設されている。このカム溝９２の位置は、前記スライド板９０が前記許容位置にある状態で当該カム溝９２の前端が前記連通溝８３の直上方に位置するように、設定されている。
【００７７】
このスライド板９０は、未使用状態において前記許容位置に仮係止される。具体的に、前記スライド板９０の適所には、図１８（ｃ）に示される被係止穴９３が設けられる一方、スライド板収容部８６の内面適所には、前記スライド板９０が前記許容位置にあるときに前記被係止穴９３に嵌り込む仮係止突起８７が設けられている。
【００７８】
前記相手方コネクタ９４は、第１の実施の形態の待ち受けコネクタ２４に対応するもので、前記相手方コネクタ受入部８２内に受け入れられる。この相手方コネクタ９４のハウジングの上面には、前記連通溝８３に進入可能な被ロック突起９５が上向きに突設されている。これに対して前記スライド板９０の相手方コネクタ受入部側（右側）後端部には、切欠９１が形成され、この切欠９１は、当該切欠９１に前記被ロック突起９５が嵌り込むことにより当該被ロック突起９５をスライド板９０が前側（図２１（ｃ）では下側）から拘束するような形状を有している。
【００７９】
前記嵌合保証コネクタ１００は、第１の実施の形態の通信用コネクタ７０に相当するもので、嵌合保証部材として前記嵌合保証コネクタ受入部８４内に受け入れられる。この嵌合保証コネクタ１００のハウジングの上面には、前記連通溝８３さらには前記許容位置において当該連通溝８３の直上方に位置する前記カム溝９２の前端に進入可能なスライド操作突起１０２が上向きに突設され、このスライド操作突起１０２は、前記カム溝９２内への進入により、前記スライド板９０を許容位置からロック位置までスライドさせる。
【００８０】
この嵌合保証機能付コネクタにおいて、初期状態ではスライド板９０が図１８（ｂ）及び（ｃ）に示される許容位置に仮係止されていてその相手方コネクタ受入部側端部（図１８（ｂ）及び（ｃ）では右側の端部）が当該相手方コネクタ受入部側の連通溝８５よりも嵌合保証コネクタ受入部側（同図では左側）の位置にあるため、当該連通溝８５への被ロック突起９５の進入を伴いながら相手方コネクタ９４が相手方コネクタ受入部８４内に挿入されてその相手方端子が前記相手方コネクタ受入部８４におけるコネクタ端子７７に嵌合することができる。
【００８１】
この嵌合は、前記第１の実施の形態と同様、嵌合保証コネクタ受入部８４への嵌合保証コネクタ１００の挿入により、保証されることができる。具体的には、当該挿入の際に、当該嵌合保証コネクタ１００のスライド操作突起１０２が連通溝８３さらにはその直上方のスライド板９０のカム溝９２内に進入し、当該連通溝８３に沿って前記挿入方向と平行な方向に直線的に進行する。これにより、当該スライド操作突起１０２と係合する前記スライド板９０がその前記カム溝９２の形状に起因して前記許容位置から図２１（ｂ）及び（ｃ）に示されるロック位置へスライドする。すなわち、前記許容位置に仮係止されていたスライド板９０は、前記仮係止突起８７からの離脱を伴いながら図１８（ｂ）（ｃ）及び図２１（ｂ）（ｃ）の右側へスライドさせられ、当該スライド板９０の切欠９１への前記被ロック突起９５の嵌り込みを伴いながらロック位置へ至る。このロック位置では、当該スライド板９０が当該被ロック突起９５の前側（図２１（ｂ）では下側、同図（ｃ）では手前側）に位置することにより、当該被ロック突起９５を含む相手方コネクタ９４がコネクタ端子７７から離脱する側（図２１（ｂ）では下側、同図（ｃ）では手前側）に変位することが規制され、これにより、当該コネクタ端子７７と相手方コネクタ９４の相手方端子との嵌合が保証される。
【００８２】
以上示した実施の形態の他、当該嵌合ロック部材は、複数の部材で構成されてもよい。例えば、相手方コネクタ（前記実施の形態では待ち受けコネクタ２４）を拘束するための部分を嵌合保証部材挿入部への嵌合保証部材の挿入に連動して許容位置からロック位置に移動させるような歯車列を含んでいてもよい。
【００８３】
ただし、前記第１の実施の形態に係るカム軸６０のように、コネクタ端子（当該実施の形態では電源用端子４７）とその相手方端子（当該実施の形態では待ち受け端子）との嵌合方向と、嵌合保証部材挿入部（当該実施の形態では通信用コネクタ受入部５４）への嵌合保証部材（当該実施の形態では通信用コネクタ７０）の挿入方向との双方に平行な方向の軸回りに回転可能な回転体を含み、その回転により前記許容位置と前記ロック位置とに切換えられるものや、前記第２の実施の形態に係るスライド板９０のように、相手方コネクタ受入部８２及び嵌合保証部材挿入部（同実施形態では嵌合保証コネクタ受入部８４）に対してこれらの並び方向と直交する方向（図１８（ｃ）及び図２１（ｃ）では上下方向に）隣接する位置で当該並び方向と平行な方向にスライドすることにより前記許容位置と前記ロック位置とに切換えられるものであれば、当該嵌合ロック部材を前記コネクタ端子と前記嵌合保証部材挿入部との間にコンパクトに配置することができる利点がある。
【符号の説明】
【００８４】
１０    電子ユニット
１２    ユニットケース
１４    ユニットハウジング
１６    ユニットコネクタ
１８    ユニット格納部
２０    回路基板内蔵部
２２    回路基板（配電回路体）
２４    待ち受けコネクタ（相手方コネクタ）
２４ｃ  被ロック突起
３５    窓
４７    電源用端子（コネクタ端子）
４８    通信用端子（嵌合保証側端子）
５０    コネクタハウジング
５２    待ち受けコネクタ受入部（相手方コネクタ受入部）
５４    通信用コネクタ受入部（嵌合保証部材挿入部）
５６    カム軸保持部
６０    カム軸（回転体）
６４    ロック溝（ロック部）
６６    カム溝（カム部）
７０    通信用コネクタ（嵌合保証部材）
７２    回転操作突起
７７    コネクタ端子
７８    嵌合保証側端子
８０    コネクタハウジング
８２    相手方コネクタ受入部
８４    嵌合保証コネクタ受入部（嵌合保証部材挿入部）
８６    スライド板収容部
９０    スライド板（スライド体）
９１    切欠（ロック部を形成）
９２    カム溝（カム部）
９４    相手方コネクタ
９５    被ロック突起
１００  嵌合保証コネクタ
１０２  スライド操作突起
【図１】
2010176871.tif 000003
【図２】
2010176871.tif 000004
【図３】
2010176871.tif 000005
【図４】
2010176871.tif 000006
【図５】
2010176871.tif 000007
【図６】
2010176871.tif 000008
【図７】
2010176871.tif 000009
【図８】
2010176871.tif 000010
【図９】
2010176871.tif 000011
【図１０】
2010176871.tif 000012
【図１１】
2010176871.tif 000013
【図１２】
2010176871.tif 000014
【図１３】
2010176871.tif 000015
【図１４】
2010176871.tif 000016
【図１５】
2010176871.tif 000017
【図１６】
2010176871.tif 000018
【図１７】
2010176871.tif 000019
【図１８】
2010176871.tif 000020
【図１９】
2010176871.tif 000021
【図２０】
2010176871.tif 000022
【図２１】
2010176871.tif 000023